(57)【特許請求の範囲】
【請求項１】
挿入部の先端部に配設された対物光学系を通して入射される被写体を撮像する撮像素子が内蔵された内視鏡と、
上記内視鏡に内蔵され、上記対物光学系の少なくとも１部の光学素子を移動させるアクチュエータと、
上記撮像素子を駆動し、上記撮像素子からの出力信号を映像信号に変換する信号処理回路を内蔵するカメラコントロールユニットと、
上記アクチュエータに駆動電力を供給する駆動回路と、
上記撮像素子と上記カメラコントロールユニットとを電気的に接続するための第１のケーブル及び上記アクチュエータと上記駆動回路とを電気的に接続するための第２のケーブルが内蔵され、少なくとも一端部に上記内視鏡の接続部に着脱可能なコネクタ部を有する接続コードとを備え、
上記コネクタ部は、上記アクチュエータを内蔵しない内視鏡の接続部にも接続可能に構成されたことを特徴とする内視鏡装置。
【請求項２】
上記カメラコントロールユニットとは別体で構成され、上記駆動回路を内蔵する駆動ユニットを備え、
上記カメラコントロールユニットは、上記接続コードの上記第１及び第２のケーブルと電気的に接続する第１の接続部と、上記駆動ユニットの駆動回路と電気的に接続する第２の接続部とを有し、上記第１の接続部の第２のケーブル用接点と上記第２の接続部の駆動回路用接点とを内部で接続するように構成されたことを特徴とする請求項１に記載の内視鏡装置。
【請求項３】
上記カメラコントロールユニットの上記第２の接続部に上記駆動ユニットが接続されていない状態において、上記アクチュエータを内蔵する内視鏡が上記接続コードを介して接続されたときに、その旨を告知する告知手段を備えたことを特徴とする請求項２に記載の内視鏡装置。
【請求項４】
上記カメラコントロールユニットとは別体で構成され、上記駆動回路を内蔵する駆動ユニットを備え、
上記接続コードは、上記カメラコントロールユニットに着脱可能な第１のケーブル用コネクタ部と、上記駆動ユニットに着脱可能な第２のケーブル用コネクタ部とを有することを特徴とする請求項１に記載の内視鏡装置。
【発明の詳細な説明】
【０００１】
【発明の属する技術分野】
本発明は、内視鏡の対物光学系の一部のレンズ（光学素子）を駆動する圧電アクチュエータを備えた内視鏡装置に関する。
【０００２】
【従来の技術】
従来から例えば特開平６−３１５２８２号公報に示すように、内視鏡の対物光学系の一部のレンズ（光学素子）を駆動する圧電アクチュエータを備えた内視鏡装置が開示されている。ここで使用される圧電アクチエータの動作は内視鏡の外部に配置された制御回路により制御されている。
【０００３】
【発明が解決しようとする課題】
ところで、上記従来構成のものにあっては内視鏡に内蔵された圧電アクチュエータと、内視鏡の外部に配置された制御回路との間の配線等は具体的には全く示されていない。しかしながら、内視鏡の外部に圧電アクチュエータの制御回路を単独で新たに設ける場合には内視鏡の外部機器のシステム構成が複雑化するので、操作性が低下する問題がある。
本発明は上記事情に着目してなされたもので、その目的は、操作性の良い、そして効率的なシステム構成の内視鏡装置を提供することにある。
【０００４】
【課題を解決するための手段】
本発明の内視鏡装置は、挿入部の先端部に配設された対物光学系を通して入射される被写体を撮像する撮像素子が内蔵された内視鏡と、上記内視鏡に内蔵され、上記対物光学系の少なくとも１部の光学素子を移動させるアクチュエータと、上記撮像素子を駆動し、上記撮像素子からの出力信号を映像信号に変換する信号処理回路を内蔵するカメラコントロールユニットと、
上記アクチュエータに駆動電力を供給する駆動回路と、上記撮像素子と上記カメラコントロールユニットとを電気的に接続するための第１のケーブル及び上記アクチュエータと上記駆動回路とを電気的に接続するための第２のケーブルが内蔵され、少なくとも一端部に上記内視鏡の接続部に着脱可能なコネクタ部を有する接続コードとを備え、上記コネクタ部は、上記アクチュエータを内蔵しない内視鏡の接続部にも接続可能に構成されたことを特徴とするものである。
【０００５】
上記構成により、アクチュエータを内蔵した内視鏡でも、アクチュエータを内蔵しない通常の内視鏡でも、全く同一のシステムが使用でき、かつ全く同一の操作で使用でき、操作性の低下を防止するようにしたものである。
【０００６】
【発明の実施の形態】
以下、本発明の第１の実施の形態を図１乃至図４を参照して説明する。図１は本実施の形態の内視鏡装置全体の概略構成を示すものである。この内視鏡装置には直視型の内視鏡１と、この内視鏡１の照明光を発生する光源装置２と、カメラコントロールユニット（以下ＣＣＵ）３と、モニタ４とが設けられている。
【０００７】
また、内視鏡１には体内に挿入される挿入部５と、この挿入部５の基端部に連結された手元側の操作部６と、この操作部６の外周面に基端部が連結されたユニバーサルコード７と、このユニバーサルコード７の先端部に連結されたコネクタ８とから形成されている。さらに、内視鏡１の挿入部５には細長い長尺の可撓管部９が設けられている。この可撓管部９の先端部には湾曲部１０を介して先端構成部１１が連結されている。
【０００８】
また、内視鏡１の先端構成部１１には図３に示すように硬質な先端構成部本体１２が設けられている。この先端構成部本体１２の内部には対物光学系１３と、この対物光学系１３を通して入射される被写体の観察像を撮像する撮像素子、例えば固体撮像素子、さらに好ましくは電荷結合素子（以下ＣＣＤ）１４とが配設されている。さらに、対物光学系１３には複数のレンズ（光学素子）１５が配設されている。
【０００９】
また、対物光学系１３の複数のレンズ１５には複数の固定レンズ１５ａと、対物光学系１３の光軸方向に移動可能なフォーカシングレンズ（ズームレンズでも良い）１５ｂとが設けられている。ここで、複数の固定レンズ１５ａは先端構成部本体１２に固定された固定鏡筒１６に固定されている。さらに、フォーカシングレンズ１５ｂは固定鏡筒１６に対して対物光学系１３の光軸方向に移動可能に支持された可動鏡筒１７に固定されている。
【００１０】
また、ＣＣＤ１４にはＣＣＤケーブル１８の一端部が接続されている。このＣＣＤケーブル１８の他端部は内視鏡１の挿入部５内から操作部６内およびユニバーサルコード７内を経てユニバーサルコード７のコネクタ８側に延出されている。
【００１１】
さらに、先端構成部本体１２の内部にはフォーカシングレンズ１５ｂを対物光学系１３の光軸方向に移動操作するアクチュエータ１９の収容部２０が設けられている。そして、このアクチュエータ収容部２０の内底面と固定鏡筒１６との間にアクチュエータ１９が配設されている。ここで、固定鏡筒１６には図４に示すように対物光学系１３の光軸方向に延設されたスリット状のガイド溝２１が形成されている。さらに、フォーカシングレンズ１５ｂを支持する可動鏡筒１７には固定鏡筒１６のガイド溝２１を通してアクチュエータ収容部２０側に延出される連結腕１７ａが突設されている。
【００１２】
また、アクチュエータ１９は圧電アクチュエータによって形成されている。このアクチュエータ１９には連結腕１７ａに連結部材２２を介して連結された移動体２３と、この移動体２３に固定された衝撃力発生部としての圧電素子（又は電歪素子）２４とのみが設けられている。ここで、圧電素子２４は例えばチタン酸バリウム、チタン酸ジルコン酸鉛、磁器等のセラミックスに電極を形成し、この電極に直流電流を加えることにより機械的な伸び変形を生じるものである。なお、圧電素子は逆電圧効果により電界強度に比例した歪が生ずる素子である。さらに、電歪素子は駆動電圧の２乗に比例した歪が生じる素子である。
【００１３】
また、移動体２３の外周部位には後方側に向けて延出された梁部２３ａ，２３ａが突設されている。この梁部２３ａ，２３ａの延出端部２３ｂ，２３ｂは先端構成部本体１２のアクチュエータ収容部２０の内底面との接触面および固定鏡筒１６との接触面にそれぞれ摩擦係合されている。
【００１４】
さらに、圧電素子２４にはリード線２５の一端部が接続されている。このリード線２５の他端部は内視鏡１の挿入部５内から操作部６内およびユニバーサルコード７内を経てユニバーサルコード７のコネクタ８側に延出されている。
【００１５】
また、内視鏡１の操作部６にはアクチュエータ操作用スイッチ２６が設けられている。このスイッチ２６は対物光学系１３のフォーカシングレンズ１５ａを対物光学系１３の光軸方向に移動させることにより対物光学系１３のフォーカシング調整や、ズーム調整を行うためのものである。このスイッチ２６には信号線２７の一端部が接続されている。この信号線２７の他端部は内視鏡１の挿入部５内から操作部６内およびユニバーサルコード７内を経てユニバーサルコード７のコネクタ８側に延出されている。
【００１６】
また、ユニバーサルコード７のコネクタ８の先端部には光源装置２に着脱自在に接続される光源接続部２８が形成されている。この光源接続部２８には図３に示すように内視鏡１に内蔵されるライトガイドファイバ２９の入射端部および送気管路３０、送水管路３１に連結された管路連結部がそれぞれ設けられている。そして、ユニバーサルコード７のコネクタ８の光源接続部２８が光源装置２のコネクタ部２ａに接続された状態で、ライトガイドファイバ２９の入射端部からライトガイドファイバ２９に照射光が入射されるとともに、送気管路３０、送水管路３１の管路連結部から送気管路３０、送水管路３１に空気、水が供給されるようになっている。さらに、コネクタ８の外周面にはコード接続部３２が形成されている。
【００１７】
また、ユニバーサルコード７のコネクタ８とＣＣＵ３との間は接続コード３３を介して接続されている。ここで、接続コード３３の一端部には第１のコネクト部３３ａ、他端部には第２のコネクト部３３ｂがそれぞれ設けられている。そして、接続コード３３の第１のコネクト部３３ａはコネクタ８のコード接続部３２に着脱可能に固定されている。さらに、接続コード３３の第２のコネクト部３３ｂはＣＣＵ３のコード接続部３４に着脱可能に固定されている。
【００１８】
また、接続コード３３の内部には図２に示すように内視鏡１内のＣＣＤケーブル１８、リード線２５および信号線２７にそれぞれ接続されるＣＣＤケーブル３５、リード線３６および信号線３７が設けられている。
【００１９】
さらに、ＣＣＵ３の内部にはＣＣＤ１４を駆動し、このＣＣＤ１４からの出力信号を映像信号に変換する信号処理回路３８およびアクチュエータ１９の圧電素子２４に駆動電力を供給する駆動回路３９がそれぞれ設けられている。
【００２０】
ここで、信号処理回路３８にはＣＣＤケーブル４０および出力ケーブル４１の各一端部が接続されている。そして、ＣＣＤケーブル４０の他端部は接続コード３３内のＣＣＤケーブル３５に接続され、出力ケーブル４１の他端部はモニタ４との接続ケーブル４２に接続されている。これにより、ＣＣＤ１４の撮像信号はＣＣＤケーブル１８、３５、４０を介してＣＣＵ３内の信号処理回路３８に入力されるとともに、ＣＣＵ３の信号処理回路３８からの出力画像はモニタ４に表示されるようになっている。
【００２１】
また、駆動回路３９にはリード線４３および信号線４４の各一端部が接続されている。これらのリード線４３および信号線４４の各他端部は接続コード３３内のリード線３６および信号線３７にそれぞれ接続されている。そして、スイッチ２６の操作信号は信号線２７、３７、４４を介して駆動回路３９に入力され、このときアクチュエータ駆動回路３９からアクチュエータ駆動電力がリード線４３、３６、２５を介してアクチュエータ１９の圧電素子２４に供給されるようになっている。
【００２２】
また、アクチュエータ１９は圧電素子２４に電圧を印加することでこの圧電素子２４が伸縮動作をし、この伸縮動作によって移動体２３に衝撃力を与え、対物光学系１３の光軸方向に可動鏡筒１７を移動するようになっている。このとき、可動鏡筒１７とともにフォーカシングレンズ１５ｂも対物光学系１３の光軸方向に移動するようになっている。
【００２３】
なお、接続コード３３の第１のコネクト部３３ａにはアクチュエータ１９を内蔵しないタイプの内視鏡（図示せず）も動作可能に接続されるようになっている。
【００２４】
次に、上記構成の作用について説明する。本実施の形態の内視鏡装置では通常、ＣＣＵ３と、モニタ４と、接続コード３３とはあらかじめ接続されている。そして、本実施の形態の内視鏡装置の使用時には内視鏡１のコネクタ８を光源装置２に接続固定し、次に接続コード３３の第１のコネクト部３３ａをコネクタ８のコード接続部３２に接続固定する。これにより、内視鏡１は動作可能状態となる。
【００２５】
この後、内視鏡１の挿入部５が患者の体内に挿入される。そして、挿入部５の先端構成部１１が観察対象組織の近傍位置にセットされ、先端構成部１１の対物光学系１３によって撮像された被写体の観察像、すなわち観察対象組織の観察像がモニタ４に表示される。
【００２６】
この状態で、操作部６のスイッチ２６を操作することにより、駆動回路３９はアクチュエータ１９を駆動制御する。即ち、モニタ４に表示される観察像を拡大表示する「拡大」側にスイッチ２６を操作した場合にはアクチュエータ１９によって対物光学系１３のフォーカシングレンズ１５ａが拡大側に移動される。また、ここでモニタ４に表示される観察像を広角表示する「広角」側にスイッチ２６を操作した場合にはフォーカシングレンズ１５ａが広角側に移動される。従って、操作者は、スイッチ２６を操作するだけでモニタ４に表示される観察像を所望の倍率に変更することができる。
【００２７】
また、本実施の形態の内視鏡１に代えてアクチュエータ１９を内蔵していない第２の内視鏡（図示せず）を使用する場合には、光源装置２に第２の内視鏡のコネクタを同様に接続固定し、次に接続コード３３の第１のコネクト部３３ａを第２の内視鏡のコネクタのコード接続部に接続した状態にセットすることにより、第２の内視鏡によってズーム機能を除いた通常の内視鏡観察を行うことができる。
【００２８】
そこで、上記構成のものにあっては次の効果を奏する。すなわち、アクチュエータ１９に駆動電力を供給する駆動回路３９をＣＣＵ３内に一体的に設けたので、フォーカシングレンズ１５ｂを対物光学系１３の光軸方向に移動操作するアクチュエータ１９を内蔵した内視鏡１を使用する場合にはコネクタ８のコード接続部３２に接続コード３３の第１のコネクト部３３ａを接続するだけで簡単にズーム観察ができる。さらに、アクチュエータ１９を内蔵した内視鏡１に代えてアクチュエータ１９を内蔵していない通常の内視鏡（第２の内視鏡）を使用する場合でも、同様に接続コード３３の第１のコネクト部３３ａを第２の内視鏡のコネクタのコード接続部に接続した状態にセットすることにより、簡単に通常の内視鏡観察ができる。そのため、アクチュエータ１９を内蔵した内視鏡１を使用する場合と、アクチュエータ１９を内蔵しない通常の内視鏡（第２の内視鏡）を使用する場合とで、全く同一のシステムが使用でき、かつ全く同一の操作で使用できるので、経済的であるうえ、操作性が良く、そして効率的なシステム構成の内視鏡装置を提供することができる。
【００２９】
なお、アクチュエータ１９の圧電素子２４の後端部（移動体２３を固定しない側）に慣性体としての重りを固着しても良い。さらに、上記圧電素子２７の後端部（移動体２３を固定しない側）が先端構成部本体１２に固定されても良い。
【００３０】
また、図５および図６は本発明の第２の実施の形態を示すものである。図６は本実施の形態における内視鏡装置全体の概略構成を示すものである。なお、図５および図６中で、第１の実施の形態（図１乃至図４参照）と同一部分には同一の符号を付してその説明を省略する。
【００３１】
すなわち、本実施の形態では第１の実施の形態とは異なる構成のＣＣＵ５１を設けたものである。このＣＣＵ５１には第１のコード接続部５２と、第２のコード接続部５３と、モニタ４の接続ケーブル４２の接続部５４とがそれぞれ設けられている。
【００３２】
また、ＣＣＵ５１の内部には第１の実施の形態と同一構成の信号処理回路３８が設けられているとともに、リード線５５および信号線５６が配設されている。ここで、リード線５５および信号線５６の各一端部は第１のコード接続部５２の接点を介して接続コード３３内のリード線３６および信号線３７にそれぞれ接続されている。さらに、リード線５５および信号線５６の各他端部は第２のコード接続部５３のそれぞれの接点に接続されている。
【００３３】
また、ＣＣＵ５１には第２の接続コード５７を介して駆動装置５８が着脱自在に接続されている。ここで、第２の接続コード５７の一端部には第１のコネクト部５７ａ、他端部には第２のコネクト部５７ｂがそれぞれ設けられている。そして、第２の接続コード５７の第１のコネクト部５７ａはＣＣＵ５１の第２のコード接続部５３に着脱可能に固定されている。さらに、第２の接続コード５７の第２のコネクト部５７ｂは駆動装置５８のコード接続部５９に着脱可能に固定されている。
【００３４】
また、第２の接続コード５７の内部には図５に示すようにＣＣＵ５１内のリード線５５および信号線５６にそれぞれ接続されるリード線６０および信号線６１が設けられている。
【００３５】
さらに、駆動装置５８にはアクチュエータ１９の圧電素子２４に駆動電力を供給する駆動回路６２が内蔵されている。この駆動回路６２にはリード線６３および信号線６４の各一端部が接続されている。これらのリード線６３および信号線６４の各他端部は第２の接続コード５７内のリード線６０および信号線６１にそれぞれ接続されている。
【００３６】
そして、内視鏡１の操作部６のスイッチ２６の操作信号は信号線２７、３７、５６、６１、６４を介して駆動回路６２に入力され、このときアクチュエータ駆動回路６２からアクチュエータ駆動電力がリード線６３、６０、５５、３６、２５を介してアクチュエータ１９の圧電素子２４に供給されるようになっている。
【００３７】
次に、上記構成の作用について説明する。本実施の形態の内視鏡装置では通常、ＣＣＵ５１と、モニタ４と、接続コード３３と、第２の接続コード５７と、駆動装置５８とはあらかじめ接続されている。そして、本実施の形態の内視鏡装置の使用時には内視鏡１のコネクタ８を光源装置２に接続固定し、次に接続コード３３の第１のコネクト部３３ａをコネクタ８のコード接続部３２に接続固定する。これにより、内視鏡１は動作可能状態となる。
【００３８】
この後、第１の実施の形態と同様に内視鏡１の挿入部５が患者の体内に挿入される。そして、挿入部５の先端構成部１１が観察対象組織の近傍位置にセットされ、先端構成部１１の対物光学系１３によって撮像された被写体の観察像、すなわち観察対象組織の観察像がモニタ４に表示される。
【００３９】
この状態で、操作部６のスイッチ２６を操作することにより、駆動回路６２はアクチュエータ１９を駆動制御する。即ち、スイッチ２６を「拡大」側に操作した場合にはアクチュエータ１９によって対物光学系１３のフォーカシングレンズ１５ａが拡大側に移動され、スイッチ２６を「広角」側に操作した場合にはアクチュエータ１９によって対物光学系１３のフォーカシングレンズ１５ａが広角側に移動される。従って、操作者は、スイッチ２６を操作するだけでモニタ４に表示される観察像を所望の倍率に変更することができる。
【００４０】
また、本実施の形態の内視鏡１に代えてアクチュエータ１９を内蔵していない第２の内視鏡（図示せず）を使用する場合には、光源装置２に第２の内視鏡のコネクタを同様に接続固定し、次に接続コード３３の第１のコネクト部３３ａを第２の内視鏡のコネクタのコード接続部に接続した状態にセットすることにより、第２の内視鏡によってズーム機能を除いた通常の内視鏡観察を行うことができる。
【００４１】
さらに、駆動装置５８が第２の接続コード５７を介してＣＣＵ５１に接続されていない状態で、アクチュエータ１９を内蔵する内視鏡１が接続コード３３を介してＣＣＵ５１に接続された場合には図示しない告知手段により、例えばブザーの鳴動による警報、或いはモニタ４の画面上の警告表示等の告知操作が行われ、操作者に駆動装置５８が接続されていない状態が告知される。
【００４２】
なお、駆動装置５８が第２の接続コード５７を介してＣＣＵ５１に接続されていない状態で、アクチュエータ１９を内蔵しないタイプの第２の内視鏡がＣＣＵ５１に接続された場合には上記告知操作は行われず、通常の動作がなされる。
【００４３】
そこで、上記構成のものにあっては次の効果を奏する。すなわち、アクチュエータ１９に駆動電力を供給する駆動回路６２を内蔵させた駆動装置５８をＣＣＵ５１に第２の接続コード５７を介して着脱自在に接続させたので、アクチュエータ１９を内蔵しない第２の内視鏡のみを使用する場合は、駆動装置５８を用意する必要が無く、経済的である。
【００４４】
また、アクチュエータ１９を内蔵しない第２の内視鏡を使用した後に、アクチュエータ１９を内蔵する内視鏡１を使用したい場合には、駆動装置５８のみを新たに用意するだけでよいので、効率的なシステムアップができる。
【００４５】
さらに、駆動装置５８が第２の接続コード５７を介してＣＣＵ５１に接続されていない状態で、アクチュエータ１９を内蔵する内視鏡１が接続コード３３を介してＣＣＵ５１に接続された場合には図示しない告知手段により、駆動装置５８がＣＣＵ５１に接続されていない状態が告知されるので、間違えがない。
【００４６】
また、図７乃至図９は本発明の第３の実施の形態を示すものである。図７は本実施の形態における内視鏡装置全体の概略構成を示すものである。なお、図７乃至図９中で、第２の実施の形態（図５および図６参照）と同一部分には同一の符号を付してその説明を省略する。
【００４７】
すなわち、本実施の形態では第１，第２の各実施の形態で示したアクチュエータ１９を内蔵しない通常の内視鏡（第２の内視鏡）７１用のＣＣＵ７２が使用される。このＣＣＵ７２の内部には図８に示すように第１の実施の形態と同一構成の信号処理回路３８が設けられている。さらに、この信号処理回路３８にはＣＣＤケーブル４０および出力ケーブル４１の各一端部が接続されている。そして、ＣＣＤケーブル４０の他端部はＣＣＵ７２のコード接続部７３の接点に接続され、出力ケーブル４１の他端部はモニタ４との接続ケーブル４２に接続されている。
【００４８】
また、第２の内視鏡７１には体内に挿入される挿入部７４と、この挿入部７４の基端部に連結された手元側の操作部７５と、この操作部７５の外周面に基端部が連結されたユニバーサルコード７６と、このユニバーサルコード７６の先端部に連結されたコネクタ７７とから形成されている。さらに、第２の内視鏡７１の挿入部７４には細長い長尺の可撓管部７８が設けられている。この可撓管部７８の先端部には湾曲部７９を介して先端構成部８０が連結されている。
【００４９】
また、第２の内視鏡７１の先端構成部８０の内部には図９に示すように対物光学系の対物レンズ８１と、このレンズ８１を通して入射される被写体の観察像を撮像するＣＣＤ８２とが配設されている。
【００５０】
さらに、ＣＣＤ８２にはＣＣＤケーブル８３の一端部が接続されている。このＣＣＤケーブル８３の他端部は第２の内視鏡７１の挿入部７４内から操作部７５内およびユニバーサルコード７６内を経てユニバーサルコード７６のコネクタ７７側に延出されている。
【００５１】
また、ユニバーサルコード７６のコネクタ７７の先端部には第１，第２の各実施の形態で示したアクチュエータ１９を内蔵した内視鏡１の光源接続部２８と同じ構成の光源接続部８４が形成されている。さらに、このコネクタ７７の外周面にはコード接続部８５が形成されている。そして、このコード接続部８５の接点にＣＣＤケーブル８３の他端部が接続されている。
【００５２】
また、本実施の形態では第２の実施の形態と同じ構成の駆動装置５８が使用されるとともに、第２の実施の形態で使用した接続コード３３と第２の接続コード５７とを一体化した複合構造の接続コード８６が使用される。この接続コード８６には第１コード８７と、第２コード８８とが設けられている。
【００５３】
ここで、接続コード８６の第１コード８７の一端部には第１のコネクト部８６ａが設けられている。この第１のコネクト部８６ａはアクチュエータ１９を内蔵した内視鏡１のコード接続部３２、またはアクチュエータ１９を内蔵しない第２の内視鏡７１のコード接続部８５のいずれか一方に選択的に接続されるようになっている。
【００５４】
さらに、接続コード８６の第１コード８７の他端部には第２のコネクト部８６ｂが設けられている。この第２のコネクト部８６ｂはＣＣＵ７２のコード接続部７３に着脱可能に固定されている。また、接続コード８６の第２コード８８の一端部には第３のコネクト部８６ｃが設けられている。この第３のコネクト部８６ｃは駆動装置５８のコード接続部５９に着脱可能に固定されている。なお、第２コード８８の他端部は第１コード８７の他端部とともに第２のコネクト部８６ｂに接続されている。そして、接続コード８６の第２のコネクト部８６ｂはＣＣＵ７２のコード接続部７３に着脱可能に固定されている。さらに、接続コード８６の第３のコネクト部８６ｃは駆動装置５８のコード接続部５９に着脱可能に固定されている。
【００５５】
また、接続コード８６の内部には図８に示すように内視鏡１のＣＣＤケーブル１８、または図９に示す第２の内視鏡７１のＣＣＤケーブル８３のいずれか一方に選択的に接続されるＣＣＤケーブル８９と、内視鏡１のリード線２５に接続されるリード線９０と、内視鏡１の信号線２７に接続される信号線９１とがそれぞれ設けられている。この場合、ＣＣＤケーブル８９は接続コード８６の第１のコネクト部８６ａから第１コード８７内を通して第２のコネクト部８６ｂ側に延設されている。さらに、リード線９０および信号線９１は第１のコネクト部８６ａから接続コード８６の第１コード８７内および第２コード８８内を経て第３のコネクト部８６ｃ側に延設されている。
【００５６】
そして、接続コード８６の第１のコネクト部８６ａがアクチュエータ１９を内蔵した内視鏡１のコード接続部３２に接続固定された場合には内視鏡１のＣＣＤケーブル１８が接続コード８６のＣＣＤケーブル８９およびＣＣＵ７２のＣＣＤケーブル４０を介して信号処理回路３８に接続されるとともに、内視鏡１のリード線２５が接続コード８６のリード線９０および駆動装置５８のリード線６３を介して駆動回路６２に接続され、さらに内視鏡１の信号線２７が接続コード８６の信号線９１および信号線６４を介して駆動回路６２に接続されるようになっている。また、接続コード８６の第１のコネクト部８６ａがアクチュエータ１９を内蔵しない第２の内視鏡７１のコード接続部８５に接続固定された場合には第２の内視鏡７１のＣＣＤケーブル８３が接続コード８６のＣＣＤケーブル８９およびＣＣＵ７２のＣＣＤケーブル４０を介して信号処理回路３８に接続されるようになっている。
【００５７】
次に、上記構成の作用について説明する。本実施の形態の内視鏡装置では通常、ＣＣＵ７２と、モニタ４と、接続コード８６と、駆動装置５８とはあらかじめ接続されている。そして、本実施の形態の内視鏡装置の使用時にアクチュエータ１９を内蔵した内視鏡１を使用する場合にはこの内視鏡１のコネクタ８を光源装置２に接続固定し、次に接続コード８６の第１のコネクト部８６ａをコネクタ８のコード接続部３２に接続固定する。これにより、内視鏡１は動作可能状態となる。
【００５８】
この後、第１の実施の形態と同様に内視鏡１の挿入部５が患者の体内に挿入される。そして、挿入部５の先端構成部１１が観察対象組織の近傍位置にセットされ、先端構成部１１の対物光学系１３によって撮像された被写体の観察像、すなわち観察対象組織の観察像がモニタ４に表示される。
【００５９】
この状態で、操作部６のスイッチ２６を操作することにより、駆動回路６２はアクチュエータ１９を駆動制御する。即ち、スイッチ２６を「拡大」側に操作した場合にはアクチュエータ１９によって対物光学系１３のフォーカシングレンズ１５ａが拡大側に移動され、スイッチ２６を「広角」側に操作した場合にはアクチュエータ１９によって対物光学系１３のフォーカシングレンズ１５ａが広角側に移動される。従って、操作者は、スイッチ２６を操作するだけでモニタ４に表示される観察像を所望の倍率に変更することができる。
【００６０】
また、アクチュエータ１９を内蔵していない通常の第２の内視鏡７１を使用する場合には、同様にこの第２の内視鏡７１のコネクタ７７を光源装置２に接続固定し、次に接続コード８６の第１のコネクト部８６ａをコネクタ７７のコード接続部８５に接続固定する。これにより、第２の内視鏡７１が動作可能状態となり、ズーム機能を除いた通常の内視鏡観察を行うことができる。
【００６１】
さらに、駆動装置５８が接続コード８６を介してＣＣＵ７２に接続されていない状態で、アクチュエータ１９を内蔵する内視鏡１が接続コード８６を介してＣＣＵ７２に接続された場合は図示しない告知手段により、例えばブザーの鳴動による警報、或いはモニタ４の画面上の警告表示等の告知操作が行われ、操作者に駆動装置５８が接続されていない状態が告知される。
【００６２】
なお、駆動装置５８が接続コード８６を介してＣＣＵ７２に接続されていない状態で、アクチュエータ１９を内蔵しない通常の第２の内視鏡７１が接続コード８６を介してＣＣＵ７２に接続された場合には上記告知操作は行われず、通常の動作がなされる。
【００６３】
そこで、上記構成のものにあっては次の効果を奏する。すなわち、アクチュエータ１９に駆動電力を供給する駆動回路６２を内蔵させた駆動装置５８をＣＣＵ７２に接続コード８６を介して着脱自在に接続させたので、アクチュエータ１９を内蔵しない第２の内視鏡７１のみを使用する場合には、駆動装置５８を用意する必要が無く、経済的である。
【００６４】
また、アクチュエータ１９を内蔵しない第２の内視鏡を使用した後に、アクチュエータ１９を内蔵する内視鏡１を使用したい場合には、駆動装置５８のみを新たに用意するだけでよいので、効率的なシステムアップができる。
【００６５】
さらに、駆動装置５８が接続コード８６を介してＣＣＵ７２に接続されていない状態で、アクチュエータ１９を内蔵する内視鏡１がＣＣＵ７２に接続コード８６を介して接続された場合は図示しない告知手段により、駆動装置５８が接続されていない状態が告知されるので、間違えがない。
【００６６】
また、ＣＣＵ７２内には駆動装置５８、アクチュエータ用リード線、スイッチ用信号線を設ける必要が無いので、経済的である。さらに、信号処理回路３８のみを内蔵した従来のＣＣＵ７２がそのまま使用でき、経済的であるばかりか、従来システムとの互換性が得られる。
【００６７】
また、図１０は本発明の第４の実施の形態を示すものである。本実施の形態は第３の実施の形態の接続コード８６とは構成のことなる接続コード１０１を設けたものである。すなわち、本実施の形態の接続コード１０１には図１０に示すように第１コード１０２と、第２コード１０３とが設けられている。ここで、第１コード１０２および第２コード１０３の一端部には共通の第１のコネクト部１０１ａが設けられている。この第１のコネクト部１０１ａはアクチュエータ１９を内蔵した内視鏡１のコード接続部３２、またはアクチュエータ１９を内蔵しない第２の内視鏡７１のコード接続部８５のいずれか一方に選択的に接続されるようになっている。
【００６８】
さらに、第１コード１０２の他端部には第２のコネクト部１０１ｂが設けられている。この第２のコネクト部１０１ｂはＣＣＵ７２のコード接続部７３に着脱自在に固定されるようになっている。
【００６９】
また、第２コード１０３の他端部には第３のコネクト部１０１ｃが設けられている。この第３のコネクト部１０１ｃは駆動装置５８のコード接続部５９に着脱自在に固定されるようになっている。
【００７０】
さらに、接続コード１０１には第１コード１０２の内部にＣＣＤケーブル８９が配設され、第２コード１０３の内部にリード線９０および信号線９１が共に配設されている。そして、接続コード１０１の第１のコネクト部１０１ａがアクチュエータ１９を内蔵した内視鏡１のコード接続部３２に接続固定された場合には内視鏡１のＣＣＤケーブル１８が接続コード１０１のＣＣＤケーブル８９およびＣＣＵ７２のＣＣＤケーブル４０を介して信号処理回路３８に接続されるとともに、内視鏡１のリード線２５が接続コード１０１のリード線９０および駆動装置５８のリード線６３を介して駆動回路６２に接続され、さらに内視鏡１の信号線２７が接続コード１０１の信号線９１および信号線６４を介して駆動回路６２に接続されるようになっている。また、接続コード１０１の第１のコネクト部１０１ａがアクチュエータ１９を内蔵しない第２の内視鏡７１のコード接続部８５に接続固定された場合には第２の内視鏡７１のＣＣＤケーブル８３が接続コード１０１のＣＣＤケーブル８９およびＣＣＵ７２のＣＣＤケーブル４０を介して信号処理回路３８に接続されるようになっている。
【００７１】
したがって、本実施の形態の接続コード１０１は第３の実施の形態の接続コード８６と置き換えて使用することができ、その場合でも第３の実施の形態と同様の効果を得ることができる。
【００７２】
また、図１１は本発明の第５の実施の形態を示すものである。本実施の形態は第３の実施の形態（図７乃至図９参照）の構成を一部変更したものである。すなわち、本実施の形態ではアクチュエータ１９を内蔵する内視鏡１のコネクタ８の外周面にアダプタ１１１が突設されている。このアダプタ１１１には２つのコード接続部１１２，１１３がそれぞれ設けられている。ここで、アダプタ１１１の第１のコード接続部１１２には内視鏡１内のＣＣＤケーブル１８が接続されている。さらに、アダプタ１１１の第２のコード接続部１１３には内視鏡１内のアクチュエータ１９のリード線２５およびスイッチ２６の信号線２７がそれぞれ接続されている。
【００７３】
また、駆動装置５８には第１の接続コード１１４、ＣＣＵ７２には第２の接続コード１１５がそれぞれ着脱自在に固定されている。ここで、第１の接続コード１１４の一端部には第１のコネクト部１１４ａ、他端部には第２のコネクト部１１４ｂがそれぞれ設けられている。そして、第１の接続コード１１４の第２のコネクト部１１４ｂは駆動装置５８のコード接続部５９に着脱自在に固定されている。さらに、この第１の接続コード１１４の第１のコネクト部１１４ａはアクチュエータ１９を内蔵した内視鏡１の第２のコード接続部１１３に着脱自在に接続されるようになっている。
【００７４】
また、第２の接続コード１１５の一端部には第１のコネクト部１１５ａ、他端部には第２のコネクト部１１５ｂがそれぞれ設けられている。そして、第１の接続コード１１５の第２のコネクト部１１５ｂはＣＣＵ７２のコード接続部７３に着脱自在に固定されている。さらに、この第２の接続コード１１５の第１のコネクト部１１５ａはアクチュエータ１９を内蔵した内視鏡１の第１のコード接続部１１２、またはアクチュエータ１９を内蔵しない第２の内視鏡７１のコード接続部８５のいずれか一方に選択的に接続されるようになっている。
【００７５】
また、第１の接続コード１１４の内部には内視鏡１のリード線２５および信号線２７に接続されるリード線９０および信号線９１がそれぞれ設けられている（図８参照）。さらに、第２の接続コード１１５の内部には内視鏡１のＣＣＤケーブル１８、または第２の内視鏡７１のＣＣＤケーブル８３のいずれか一方に選択的に接続されるＣＣＤケーブル８９が設けられている（図８参照）。
【００７６】
そして、アクチュエータ１９を内蔵する内視鏡１の使用時にはこの内視鏡１の光源接続部２８が光源装置２のコネクタ部２ａに着脱自在に接続されるとともに、コネクタ８上のアダプタ１１１の第１のコード接続部１１２に第２の接続コード１１５の第１のコネクト部１１５ａが接続され、アダプタ１１１の第２のコード接続部１１３に第１の接続コード１１４の第１のコネクト部１１４ａが接続されるようになっている。
【００７７】
さらに、アクチュエータ１９を内蔵しない第２の内視鏡７１の使用時にはこの第２の内視鏡７１の光源接続部８４が光源装置２のコネクタ部２ａに着脱自在に接続されるとともに、コネクタ７７上のコード接続部８５に第２の接続コード１１５の第１のコネクト部１１５ａが接続されるようになっている。
【００７８】
そこで、上記構成のものにあっても第３、第４の実施の形態と同様の作用効果を得ることができる。さらに、第２の接続コード１１５は従来のシステムのものが使用可能であり、経済的である。また、互換性もあり、システムアップに好適である。
【００７９】
なお、第５の実施の形態における内視鏡１のコネクタ８上のアダプタ１１１と第１の接続コード１１４の第１のコネクト部１１４ａとは一体的に固定されていても良い。
【００８０】
また、図１２は本発明の第６の実施の形態を示すものである。本実施の形態は第５の実施の形態（図１１参照）におけるアクチュエータ１９を内蔵した内視鏡１のユニバーサルコード７とは異なる構成のユニバーサルコード１２１を設けたものである。
【００８１】
このユニバーサルコード１２１の中途部には分岐用の連結部材１２１ａが設けられている。この連結部材１２１ａには第１の分岐コード１２１ｂおよび第２の分岐コード１２１ｃの各一端部が連結されている。ここで、第１の分岐コード１２１ｂの他端部には第１のコネクタ１２２が設けられている。この第１のコネクタ１２２の先端部には光源接続部１２３が形成されている。さらに、この第１のコネクタ１２２の外周面にはコード接続部１２４が形成されている。
【００８２】
また、第２の分岐コード１２１ｃの他端部には駆動装置５８に着脱自在に固定される第２のコネクタ１２５が設けられている。そして、内視鏡１内のＣＣＤケーブル１８はユニバーサルコード１２１の第１の分岐コード１２１ｂから第１のコネクタ１２２のコード接続部１２４を介して第２の接続コード１１５内のＣＣＤケーブルに電気的に接続される。
【００８３】
さらに、内視鏡１内のリード線２５および信号線２７は共に第２の分岐コード１２１ｃを介して第２のコネクタ１２５により駆動装置５８内のリード線６３、信号線６４と電気的に接続される。
【００８４】
そこで、上記構成のものにあっても第５の実施の形態と同様の作用効果を得ることができる。
また、図１３は本発明の第７の実施の形態を示すものである。本実施の形態は第５の実施の形態（図１１参照）におけるアクチュエータ１９を内蔵した内視鏡１のコネクタ８に２つのコード接続部１３１，１３２をそれぞれ設けたものである。ここで、一方のコード接続部１３１には内視鏡１内のＣＣＤケーブル１８が接続されている。さらに、他方のコード接続部１３２には内視鏡１内のアクチュエータ１９のリード線２５およびスイッチ２６の信号線２７がそれぞれ接続されている。
【００８５】
そして、駆動装置５８に接続された第１の接続コード１１４の第１のコネクト部１１４ａはアクチュエータ１９を内蔵した内視鏡１のコード接続部１３２に着脱自在に接続されるようになっている。また、ＣＣＵ７２に接続された第２の接続コード１１５の第１のコネクト部１１５ａは内視鏡１のコード接続部１３１に着脱自在に接続されるようになっている。
【００８６】
そして、内視鏡１内のＣＣＤケーブル１８はコード接続部１３１を介して第２の接続コード１１５内のＣＣＤケーブルおよびＣＣＵ７２内のＣＣＵケーブル４０に電気的に接続される。
【００８７】
さらに、内視鏡１内のリード線２５および信号線２７は共に第１の接続コード１１４内のリード線および信号線を介して駆動装置５８内のリード線６３、信号線６４と電気的に接続される。
【００８８】
そこで、上記構成のものにあっても第５の実施の形態と同様の作用効果を得ることができる。
なお、本発明は上記実施の形態に限定されるものではなく、本発明の要旨を逸脱しない範囲で種々変形実施できることは勿論である。
【００８９】
次に、本出願の他の特徴的な技術事項を下記の通り付記する。
記
（付記項１）  対物レンズからの被写体光が入射する撮像素子を内蔵する内視鏡と、上記撮像素子を駆動し上記撮像素子からの出力信号を映像信号に変換する信号処理回路を内蔵するカメラコントロールユニットと、上記対物レンズの少なくとも１部を移動せしめるアクチュエータと、このアクチュエータに駆動電力を供給する駆動回路を上記カメラコントロールユニット内に一体的に設けたことを特徴とする内視鏡装置。
【００９０】
（付記項２）  上記駆動回路を上記カメラコントロールユニットから着脱自在に設けたことを特徴とする付記項１に記載の内視鏡装置。
（付記項３）  上記内視鏡のユニバーサルコード内に、上記アクチュエータ用のケーブルと撮像素子用のケーブルを一体的に設けたことを特徴とする付記項１に記載の内視鏡装置。
【００９１】
（付記項４）  上記内視鏡のコネクタ内に、上記アクチュエータ用接続ピンと撮像素子用接続ピンを一体的に設けたことを特徴とする付記項１に記載の内視鏡装置。
【００９２】
（付記項５）  撮像素子は、電荷結合型固体撮像素子であることを特徴とする付記項１に記載の内視鏡装置。
（付記項６）  上記対物レンズの少なくとも１部が移動することにより、フォーカシングされることを特徴とする付記項１に記載の内視鏡装置。
【００９３】
（付記項７）  上記対物レンズの少なくとも１部が移動することにより、ズーミングされることを特徴とする付記項１に記載の内視鏡装置。
（付記項８）  上記アクチュエータは急速変形アクチュエータであることを特徴とする付記項１に記載の内視鏡装置。
【００９４】
（付記項９）  上記アクチュエータは圧電アクチュエータであることを特徴とする付記項１に記載の内視鏡装置。
（付記項１０）  上記アクチュエータは磁歪素子からなることを特徴とする付記項１に記載の内視鏡装置。
【００９５】
（付記項１１）  上記コネクタと上記カメラコントロールユニットは接続コードにより接続されることを特徴とする付記項４に記載の内視鏡装置。
（付記項１２）  上記接続コードは上記コネクタ、上記カメラコントロールユニットと着脱自在に固定されることを特徴とする付記項１１に記載の内視鏡装置。
【００９６】
（付記項１３）  上記接続コードには、上記アクチュエータを内蔵しないタイプの内視鏡も動作可能に接続されることを特徴とする付記項１１に記載の内視鏡装置。
【００９７】
（付記項１４）  上記内視鏡にはアクチュエータ操作用スイッチが設けられることを特徴とする付記項１に記載の内視鏡装置。
（付記項１５）  対物レンズからの被写体光が入射する撮像素子を内蔵する内視鏡と、上記撮像素子を駆動し上記撮像素子からの出力信号を映像信号に変換する信号処理回路を内蔵するカメラコントロールユニットと、上記対物レンズの少なくとも１部を移動せしめるアクチュエータと、このアクチュエータに駆動電力を供給し上記カメラコントロールとは別体に設けられたアクチュエータ駆動回路と、上記アクチュエータに駆動電力を供給するケーブルが上記カメラコントロールユニット内を通過し、上記アクチュエータに給電されることを特徴とする内視鏡装置。
【００９８】
（付記項１６）  上記駆動回路は上記カメラコントロールユニットに着脱自在に固定されることを特徴とする付記項１５に記載の内視鏡装置。
（付記項１７）  上記内視鏡のユニバーサルコード内に、上記アクチュエータ用のケーブルと撮像素子用のケーブルを一体的に設けたことを特徴とする付記項１５に記載の内視鏡装置。
【００９９】
（付記項１８）  上記内視鏡のコネクタ内に、上記アクチュエータ用接続ピンと撮像素子用接続ピンを一体的に設けたことを特徴とする付記項１５に記載の内視鏡装置。
【０１００】
（付記項１９）  撮像素子は、電荷結合型固体撮像素子であることを特徴とする付記項１５に記載の内視鏡装置。
（付記項２０）  上記対物レンズの少なくとも１部が移動することにより、フォーカシングされることを特徴とする付記項１５に記載の内視鏡装置。
【０１０１】
（付記項２１）  上記対物レンズの少なくとも１部が移動することにより、ズーミングされることを特徴とする付記項１５に記載の内視鏡装置。
（付記項２２）  上記アクチュエータは急速変形アクチュエータであることを特徴とする付記項１５に記載の内視鏡装置。
【０１０２】
（付記項２３）  上記アクチュエータは圧電アクチュエータであることを特徴とする付記項１５に記載の内視鏡装置。
（付記項２４）  上記アクチュエータは磁歪素子からなることを特徴とする付記項１５に記載の内視鏡装置。
【０１０３】
（付記項２５）  上記コネクタと上記カメラコントロールユニットは第一の接続コードにより接続されることを特徴とする付記項１８に記載の内視鏡装置。
（付記項２６）  上記第一の接続コードは上記コネクタ、上記カメラコントロールユニットと着脱自在に固定されることを特徴とする付記項２５に記載の内視鏡装置。
【０１０４】
（付記項２７）  上記アクチュエータ駆動回路と上記カメラコントロールユニットは第二の接続コードにより接続されることを特徴とする付記項１５に記載の内視鏡装置。
【０１０５】
（付記項２８）  上記第二の接続コードは上記アクチュエータ駆動回路と上記カメラコントロールユニットに着脱自在に固定されることを特徴とする付記項２７に記載の内視鏡装置。
【０１０６】
（付記項２９）  上記第一の接続コードには、上記アクチュエータを内蔵しないタイプの内視鏡も動作可能に接続されることを特徴とする付記項２５に記載の内視鏡装置。
【０１０７】
（付記項３０）  上記アクチュエータ駆動回路が上記カメラコントロールユニットに接続されていない時に上記アクチュエータを内蔵する内視鏡がカメラコントロールユニットに接続された場合は告知手段により告知されることを特徴とする付記項１５に記載の内視鏡装置。
【０１０８】
（付記項３１）  上記アクチュエータ駆動回路が上記カメラコントロールユニットに接続されていない時に上記アクチュエータを内蔵しないタイプの内視鏡がカメラコントロールユニットに接続された場合は通常の動作がなされることを特徴とする付記項１５に記載の内視鏡装置。
【０１０９】
（付記項３２）  上記内視鏡にはアクチュエータ操作用スイッチが設けられることを特徴とする付記項１５に記載の内視鏡装置。
（付記項３３）  対物レンズからの被写体光が入射する撮像素子を内蔵する内視鏡と、上記撮像素子を駆動し上記撮像素子からの出力信号を映像信号に変換する信号処理回路を内蔵するカメラコントロールユニットと、上記対物レンズの少なくとも１部を移動せしめるアクチュエータと、このアクチュエータに駆動電力を供給し上記カメラコントロールユニットとは別体に設けられたアクチュエータ駆動回路と、上記内視鏡と上記カメラコントロールユニットと上記駆動回路を着脱自在に接続する接続コードと、上記接続コード内には上記カメラコントロールユニットと上記撮像素子を電気的に接続する第１のケーブルと、上記駆動回路とアクチュエータを電気的に接続する第２のケーブルを有することを特徴とする内視鏡装置。
【０１１０】
（付記項３４）  上記駆動回路は上記カメラコントロールユニットに着脱自在に固定されることを特徴とする付記項３３に記載の内視鏡装置。
（付記項３５）  上記内視鏡のユニバーサルコード内に、上記アクチュエータ用のケーブルと撮像素子用のケーブルを一体的に設けたことを特徴とする付記項３３に記載の内視鏡装置。
【０１１１】
（付記項３６）  上記内視鏡のコネクタ内に、上記アクチュエータ用接続ピンと撮像素子用接続ピンを一体的に設けたことを特徴とする付記項３３に記載の内視鏡装置。
【０１１２】
（付記項３７）  撮像素子は、電荷結合型固体撮像素子であることを特徴とする付記項３３に記載の内視鏡装置。
（付記項３８）  上記対物レンズの少なくとも１部が移動することにより、フォーカシングされることを特徴とする付記項３３に記載の内視鏡装置。
【０１１３】
（付記項３９）  上記対物レンズの少なくとも１部が移動することにより、ズーミングされることを特徴とする付記項３３に記載の内視鏡装置。
（付記項４０）  上記アクチュエータは急速変形アクチュエータであることを特徴とする付記項３３に記載の内視鏡装置。
【０１１４】
（付記項４１）  上記アクチュエータは圧電アクチュエータであることを特徴とする付記項３３に記載の内視鏡装置。
（付記項４２）  上記アクチュエータは磁歪素子からなることを特徴とする付記項３３に記載の内視鏡装置。
【０１１５】
（付記項４３）  上記コネクタと上記カメラコントロールユニットは第一の接続コードにより接続されることを特徴とする付記項３６に記載の内視鏡装置。
（付記項４４）  上記第一の接続コードは上記コネクタと上記カメラコントロールユニットに着脱自在に固定されることを特徴とする付記項４３に記載の内視鏡装置。
【０１１６】
（付記項４５）  上記アクチュエータ駆動回路と上記カメラコントロールユニットは第二の接続コードにより接続されることを特徴とする付記項３３に記載の内視鏡装置。
【０１１７】
（付記項４６）  上記第二の接続コードは上記アクチュエータ駆動回路と上記カメラコントロールユニットに着脱自在に固定されることを特徴とする付記項４５に記載の内視鏡装置。
【０１１８】
（付記項４７）  上記コネクタと上記カメラコントロールユニットは第一の接続コードにより接続されることを特徴とする付記項４３に記載の内視鏡装置。
（付記項４８）  上記第一の接続コードは上記コネクタと上記カメラコントロールに着脱自在に固定されることを特徴とする付記項４３に記載の内視鏡装置。
【０１１９】
（付記項４９）  上記アクチュエータ駆動回路と上記コネクタは第二の接続コードにより接続されることを特徴とする付記項４３に記載の内視鏡装置。
（付記項５０）  上記第二の接続コードは上記アクチュエータ駆動回路と上記コネクタに着脱自在に固定されることを特徴とする付記項４９に記載の内視鏡装置。
【０１２０】
（付記項５１）  上記接続コードの内視鏡側のコネクタ部には、上記アクチュエータを内蔵しないタイプの内視鏡のコネクタに動作可能に接続されることを特徴とする付記項４８に記載の内視鏡装置。
【０１２１】
（付記項５２）  上記第二の接続コードにアクチュエータ駆動回路が接続されていない時に上記アクチュエータを内蔵する内視鏡が上記接続コードの内視鏡コネクト部に接続された場合は告知手段により告知されることを特徴とする付記項４９に記載の内視鏡装置。
【０１２２】
（付記項５３）  上記第二の接続コードが上記駆動回路に接続されていない時に上記アクチュエータを内蔵しないタイプの内視鏡が上記接続コードの内視鏡側コネクタ部に接続された場合は通常の動作がなされることを特徴とする付記項４９に記載の内視鏡装置。
【０１２３】
（付記項５４）  上記内視鏡にはアクチュエータ操作用スイッチが設けられることを特徴とする付記項３３に記載の内視鏡装置。
（付記項５５）  上記アクチュエータを内蔵した内視鏡のコネクタは上記第１の接続コード用のコネクタ部と上記第２の接続コード用のコネクタ部を別個に有することを特徴とする付記項３３に記載の内視鏡装置。
【０１２４】
（付記項５６）  対物レンズからの被写体光が入射する撮像素子を内蔵する第１の内視鏡と、上記第１の内視鏡の上記撮像素子を駆動し上記撮像素子からの出力信号を映像信号に変換する信号処理回路を内蔵するカメラコントロールユニットと、上記第１の内視鏡の撮像素子と上記信号処理回路を電気的に接続する接続コードとを有し上記第１の内視鏡を撮像可能状態とする第１の使用形態と、対物レンズからの被写体光が入射する撮像素子を内蔵し上記対物レンズの少なくとも１部を移動せしめるアクチュエータを有する第２の内視鏡と、このアクチュエータに駆動電力を供給し上記カメラコントロールユニットとは別体に設けられたアクチュエータ駆動回路と、上記接続コードと上記第２の内視鏡の間に介在して設けられたアダプタと、このアダプタにより上記カメラコントロールユニットと上記第２の内視鏡の撮像素子を電気的に接続し、かつ上記アダプタと上記アクチュエータ駆動回路を接続し上記アクチュエータ駆動回路と上記アクチュエータとを電気的に接続して上記第２の内視鏡を撮像可能状態とする第２の使用形態を有し、かつ撮像素子を電気的に接続する第１のケーブルと、上記駆動回路とアクチュエータを電気的に接続する第２のケーブルを有することを特徴とする内視鏡装置。
【０１２５】
（付記項５７）  上記駆動回路は上記カメラコントロールユニットに着脱自在に固定されることを特徴とする付記項５６に記載の内視鏡装置。
（付記項５８）  上記内視鏡のユニバーサルコード内に、上記アクチュエータ用のケーブルと撮像素子用のケーブルを一体的に設けたことを特徴とする付記項５６に記載の内視鏡装置。
【０１２６】
（付記項５９）  上記内視鏡のコネクタ内に、上記アクチュエータ用接続ピンと撮像素子用接続ピンを一体的に設けたことを特徴とする付記項５６に記載の内視鏡装置。
【０１２７】
（付記項６０）  撮像素子は、電荷結合型固体撮像素子であることを特徴とする付記項５６に記載の内視鏡装置。
（付記項６１）  上記対物レンズの少なくとも１部が移動することにより、フォーカシングされることを特徴とする付記項５６に記載の内視鏡装置。
【０１２８】
（付記項６２）  上記対物レンズの少なくとも１部が移動することにより、ズーミングされることを特徴とする付記項５６に記載の内視鏡装置。
（付記項６３）  上記アクチュエータは急速変形アクチュエータであることを特徴とする付記項５６に記載の内視鏡装置。
【０１２９】
（付記項６４）  上記アクチュエータは圧電アクチュエータであることを特徴とする付記項５６に記載の内視鏡装置。
（付記項６５）  上記アクチュエータは磁歪素子からなることを特徴とする付記項５６に記載の内視鏡装置。
【０１３０】
（付記項６６）  上記コネクタと上記カメラコントロールユニットは第一の接続コードにより接続されることを特徴とする付記項５９に記載の内視鏡装置。
（付記項６７）  上記アダプタは第２の内視鏡のコネクタに着脱自在に固定されることを特徴とする付記項５６に記載の内視鏡装置。
【０１３１】
（付記項６８）  上記接続コードは上記アダプタに着脱自在に固定されることを特徴とする付記項５６に記載の内視鏡装置。
（付記項６９）  上記アダプタは第２の接続コードと着脱自在に接続されることを特徴とする付記項５６に記載の内視鏡装置。
【０１３２】
（付記項７０）  上記第２の接続コードは上記アダプタと上記アクチュエータ駆動回路と着脱自在に固定されることを特徴とする付記項６９に記載の内視鏡装置。
【０１３３】
（付記項７１）  上記第２の接続コードは上記アダプタと一体に形成されることを特徴とする付記項６９に記載の内視鏡装置。
（付記項７２）  上記第１の内視鏡のコネクタのピン数と上記第２の内視鏡のコネクタのピン数は同一であることを特徴とする付記項５６に記載の内視鏡装置。
【０１３４】
（付記項７３）  上記アダプタ内で上記第２の内視鏡のアクチュエータ用の信号線は上記駆動回路へ、上記信号処理回路用の信号線は上記カメラコントロールユニットに分配されることを特徴とする付記項５６に記載の内視鏡装置。
【０１３５】
（付記項７４）  上記第１の内視鏡の総操作スイッチ数と上記第２の内視鏡の総操作スイッチ数は同一であることを特徴とする付記項５６に記載の内視鏡装置。
【０１３６】
（付記項７５）  上記第２の内視鏡の操作スイッチはアクチュエータ操作用スイッチを含むことを特徴とする付記項５６に記載の内視鏡装置。
（付記項７６）  上記第１の接続コードは上記コネクタと上記カメラコントロールユニットに着脱自在に固定されることを特徴とする付記項６６に記載の内視鏡装置。
【０１３７】
（付記項７７）  上記アクチュエータ駆動回路と上記カメラコントロールユニットは第２の接続コードにより接続されることを特徴とする付記項５６に記載の内視鏡装置。
【０１３８】
（付記項７８）  上記第２の接続コードは上記アクチュエータ駆動回路と上記カメラコントロールユニットに着脱自在に固定されることを特徴とする付記項７８に記載の内視鏡装置。
【０１３９】
（付記項７９）  上記コネクタと上記カメラコントロールユニットは第１の接続コードにより接続されることを特徴とする付記項６６に記載の内視鏡装置。
（付記項８０）  上記第１の接続コードは上記コネクタと上記カメラコントロールユニットに着脱自在に固定されることを特徴とする付記項６６に記載の内視鏡装置。
【０１４０】
（付記項８１）  上記アクチュエータ駆動回路と上記コネクタは第２の接続コードにより接続されることを特徴とする付記項５６に記載の内視鏡装置。
（付記項８２）  上記第２に接続コードは上記アクチュエータ駆動回路と上記コネクタに着脱自在に固定されることを特徴とする付記項８１に記載の内視鏡装置。
【０１４１】
（付記項８３）  上記接続コードの内視鏡側のコネクト部には、上記アクチュエータを内蔵しないタイプの内視鏡のコネクタに動作可能に接続されることを特徴とする付記項８２に記載の内視鏡装置。
【０１４２】
（付記項８４）  上記第２の接続コードにアクチュエータ駆動回路が接続されていない時に上記アクチュエータを内蔵する内視鏡が上記接続コードの内視鏡コネクト部に接続された場合は告知手段により告知されることを特徴とする付記項８２に記載の内視鏡装置。
【０１４３】
（付記項８５）  上記第２の接続コードが上記駆動回路に接続されていない時に上記アクチュエータを内蔵しないタイプの内視鏡が上記接続コードの内視鏡側コネクト部に接続された場合は通常の動作がなされることを特徴とする付記項８２に記載の内視鏡装置。
【０１４４】
（付記項１５〜８５の従来技術）  従来、特開平６−３１５２８２号公報に示すように、内視鏡の対物レンズの一部を圧電アクチュエータで駆動するものが開示されている。この圧電アクチュエータは内視鏡外部にある制御回路により制御される。先行技術では、内視鏡と制御回路の配線等は全く考慮されていなかったため効率的なシステムが構築できなかった。
【０１４５】
（付記項１５〜３２の目的）  操作性の良く、システムアップに好適な、そして効率的なシステム構成の内視鏡装置を提供する。
（付記項３３〜８５の目的）  安価で操作性が良く、システムアップに好適な、そして効率的なシステム構成の内視鏡装置を提供する。
なお、上述の付記項の従属関係は好適な組合わせの一例を示しているにすぎず、あらゆる組合わせが可能である。
【０１４６】
【発明の効果】
本発明によれば、アクチュエータを内蔵した内視鏡でも、アクチュエータを内蔵しない通常の内視鏡でも、全く同一のシステムが使用でき、かつ全く同一の操作で使用できる。そのため、操作性の良い、そして効率的なシステム構成の内視鏡装置を提供することができる。
【図面の簡単な説明】
【図１】  本発明の第１の実施の形態における内視鏡装置全体の概略構成図。
【図２】  第１の実施の形態の内視鏡装置の要部の概略構成図。
【図３】  第１の実施の形態の内視鏡の先端構成部を示す縦断面図。
【図４】  第１の実施の形態の内視鏡の圧電アクチエータの概略構成を示す縦断面図。
【図５】  本発明の第２の実施の形態における内視鏡装置の要部の概略構成図。
【図６】  第２の実施の形態の内視鏡装置全体の概略構成図。
【図７】  本発明の第３の実施の形態における内視鏡装置全体の概略構成図。
【図８】  第３の実施の形態の内視鏡装置で使用されるアクチュエータを内蔵した第２の内視鏡の接続状態を示す要部の概略構成図。
【図９】  第３の実施の形態の内視鏡装置で使用されるアクチュエータを内蔵しない第１の内視鏡の接続状態を示す要部の概略構成図。
【図１０】  本発明の第４の実施の形態の内視鏡装置の要部の概略構成図。
【図１１】  本発明の第５の実施の形態の内視鏡装置全体の概略構成図。
【図１２】  本発明の第６の実施の形態の内視鏡装置の要部の概略構成図。
【図１３】  本発明の第７の実施の形態の内視鏡装置の要部の概略構成図。
【符号の説明】
１…内視鏡、３，５１，７２…ＣＣＵ（カメラコントロールユニット）、５，７４…挿入部、１３…対物光学系、１４，８２…ＣＣＤ（撮像素子）、１５ｂ…フォーカシングレンズ（光学素子）、１９…アクチュエータ、３８…信号処理回路、３９，６２…駆動回路。
【図１】
0003670355.tif 000002
【図２】
0003670355.tif 000003
【図３】
0003670355.tif 000004
【図４】
0003670355.tif 000005
【図５】
0003670355.tif 000006
【図６】
0003670355.tif 000007
【図７】
0003670355.tif 000008
【図８】
0003670355.tif 000009
【図９】
0003670355.tif 000010
【図１０】
0003670355.tif 000011
【図１１】
0003670355.tif 000012
【図１２】
0003670355.tif 000013
【図１３】
0003670355.tif 000014